(57)【要約】【課題】  複数の導光板の間に立体構造物を配置することにより、今までにないような立体的な視覚効果を生み出す遊技機を提供する。【解決手段】  遊技機は、遊技の進行に関連する識別情報を表示可能な表示手段１００として、第１識別情報を表示可能な導光板１６１及び第２識別情報を表示可能な導光板１６２と、第３識別情報を表示可能な形状に立体形成された立体構造物１７１と、を備え、導光板１６１と導光板１６２とが重なって配置されるとともに、導光板１６１と導光板１６２との間に立体構造物１７１が配置される構成としてある。【選択図】    図８
2018050703.tif 000002
【特許請求の範囲】
【請求項１】
遊技の進行に関連する識別情報を表示可能な表示手段を備える遊技機において、
前記識別情報は、少なくとも第１識別情報と第２識別情報と第３識別情報とから構成され、
前記表示手段は、
透光性部材で構成され端面に入射した光を表面から出射させることで識別情報を表示可能な導光板として、前記第１識別情報を表示可能な第１導光板及び前記第２識別情報を表示可能な第２導光板と、
前記第３識別情報を表示可能な形状に立体形成された立体構造物と、
を備え、
前記第１導光板と前記第２導光板とが重なって配置されるとともに、前記第１導光板と前記第２導光板との間に前記立体構造物が配置される
ことを特徴とする遊技機。
【請求項２】
前記導光板として、第３導光板を備え、
各導光板が前記第１導光板、前記第２導光板、前記第３導光板の順に重なって配置されるとともに、前記第１導光板と前記第２導光板との間の距離が前記第２導光板と前記第３導光板との間の距離よりも長くなるように配置される
ことを特徴とする請求項１に記載の遊技機。
【請求項３】
前記立体構造物は、
導光部と立体造形部とを備えた透光性部材からなり、
前記導光部の端面から光源の光を入射させた場合に前記第３識別情報を視認可能とし、
前記導光部の端面から光源の光を入射させない場合に前記第３識別情報を視認不能又は困難とする
ことを特徴とする請求項１又は請求項２に記載の遊技機。
【請求項４】
前記導光部には、前記光源寄りに設けられる第１導光部と、前記立体造形部寄りに設けられるとともに前記第１導光部との間に段差を有する第２導光部と、前記第１導光部と前記第２導光部との間に設けられる屈折部と、が含まれる
ことを特徴とする請求項３に記載の遊技機。
【請求項５】
各導光板及び前記立体構造物に光を入射するための光源が備えられる基板を備え、
前記基板には、各導光板及び前記立体構造物それぞれに対応する光源が所定の間隔を空けて並べて配設される
ことを特徴とする請求項１〜４のいずれか一項に記載の遊技機。
【請求項６】
一の識別情報がループ状の軌跡を描くように移動する表示演出を行う場合において、当該軌跡上の複数個所における当該一の識別情報の移動形態それぞれを表すコマ割り識別情報を有し、
各コマ割り識別情報それぞれの表示態様を、表示又は非表示のいずれかに切り替える表示態様切替手段を備え、
前記表示態様切替手段は、前記一の識別情報が前記軌跡を一定の速度で移動するものと仮定したタイミングで、各コマ割り識別情報それぞれの表示態様を、表示又は非表示のいずれかに切り替える
ことを特徴とする請求項１〜５のいずれか一項に記載の遊技機。
【請求項７】
前記コマ割り識別情報を表示可能な第４導光板を備え、
前記軌跡は、当該軌跡の一部が第４導光板と重なり、当該軌跡の他部が第４導光板以外の仮想空間に位置し、
第４導光板は、前記軌跡の一部における複数個所に対応する一の識別情報の移動形態それぞれを表すコマ割り識別情報を表示可能であり、前記軌跡の他部における一の識別情報の移動形態を表示不能であり、
前記表示態様切替手段は、
前記一の識別情報が前記軌跡の一部を移動しているものと仮定される期間において、当該軌跡の一部を一の識別情報が一定の速度で移動するものと仮定したタイミングで、複数個所に対応する一の識別情報の移動形態それぞれを表すコマ割り識別情報を表示又は非表示のいずれかに切り替え、
前記一の識別情報が前記軌跡の他部を移動しているものと仮定される期間において、複数個所に対応する一の識別情報の移動形態それぞれを表すコマ割り識別情報をすべて非表示に切り替える
ことを特徴とする請求項６に記載の遊技機。
【発明の詳細な説明】
【技術分野】
【０００１】
本発明は、演出用の表示ユニットを備える遊技機に関する。
【背景技術】
【０００２】
従来から、遊技場に設置されたスロットマシンやパチンコ機などの遊技機には、遊技を盛り上げる演出手段として、液晶ＴＶ、ＬＥＤ等を備える表示ユニットが搭載されている。
例えば、ＬＥＤにより照射された画像情報を含む複数の映像光を、ハーフミラーを用いて合成させて多重映像を表示する表示ユニットを搭載した遊技機が提案されている（例えば、特許文献１）。
【先行技術文献】
【特許文献】
【０００３】
【特許文献１】特開２０１３−９４２３０号公報
【発明の概要】
【発明が解決しようとする課題】
【０００４】
しかしながら、このような従来の遊技機は改良の余地があった。
【課題を解決するための手段】
【０００５】
上記目的を達成するため、本発明の遊技機は、遊技の進行に関連する識別情報を表示可能な表示手段を備える遊技機において、前記識別情報は、少なくとも第１識別情報と第２識別情報と第３識別情報とから構成され、前記表示手段は、透光性部材で構成され端面に入射した光を表面から出射させることで識別情報を表示可能な導光板として、前記第１識別情報を表示可能な第１導光板及び前記第２識別情報を表示可能な第２導光板と、前記第３識別情報を表示可能な形状に立体形成された立体構造物と、を備え、前記第１導光板と前記第２導光板とが重なって配置されるとともに、前記第１導光板と前記第２導光板との間に前記立体構造物が配置される構成としてある。
【図面の簡単な説明】
【０００６】
【図１】遊技機の外観を示す概略斜視図である。
【図２】遊技機の内部構成を示す概略斜視図である。
【図３】遊技機の制御構成を示すブロック図である。
【図４】遊技機に搭載される表示ユニットの外観を示す概略斜視図である。
【図５】表示ユニットを後方から見た組み立て斜視図である。
【図６】表示ユニットを前方から見た組み立て斜視図である。
【図７】表示ユニットを構成する主要部品をすべて分解した組み立て斜視図である。
【図８】図４に示す表示ユニットのＡ−Ａ断面図であり、（ａ）は断面斜視図、（ｂ）は断面である。
【図９】図４に示す表示ユニットのＢ−Ｂ断面図である。
【図１０】表示ユニットに備える発光部の構成を示す斜視図であり、（ａ）は後方発光部の図、（ｂ）は側方発光部の図である。
【図１１】印刷シートにより表示される識別情報の表示例である。
【図１２】導光板１６１の表示例を示し、（ａ）は後方端面から光を入射したときに表示される識別情報の表示例、（ｂ）は側方端面から光を入射したときに表示される識別情報の表示例である。
【図１３】導光板１６２の表示例を示し、後方端面から光を入射したときに表示される識別情報の表示例である。
【図１４】導光板１６３の表示例を示し、（ａ）は後方端面から光を入射したときに表示される識別情報の表示例、（ｂ）は側方端面から光を入射したときに表示される識別情報の表示例である。
【図１５】導光板１６４の表示例を示し、（ａ）は後方端面から光を入射したときに表示される識別情報の表示例、（ｂ）は側方端面から光を入射したときに表示される識別情報の表示例である。
【図１６】（ａ）は立体構造物の斜視図であり、（ｂ）は立体構造物により表示される識別情報の表示例である。
【図１７】印刷シート、導光板１６１、導光板１６２、及び立体構造物の組合せにより表示される識別情報の表示例である。
【図１８】印刷シート、導光板１６２、及び立体構造物の組合せにより表示される識別情報の表示例である。
【図１９】一の識別情報がループ状の軌跡を描くように移動する表示演出を行う場合の表示例である。
【図２０】導光板１６４の後方端面と側方端面に光を入射させて一の識別情報を表示させる表示例である。
【図２１】文字情報を表示する導光板に入射する光の強さを変える場合の表示例である。
【図２２】一の識別情報がループ状の軌跡を描くように移動する表示演出を行う場合の変形表示例である。
【図２３】導光板に入射する光の強さを通常よりも弱めた場合の表示例である。
【図２４】一の識別情報が所定の動きを行う表示演出の表示例である。
【図２５】導光板１６１の側方端面に光を入射させたときと、導光板１６１の側方端面と後方端面に光を入射させたときの違いを示す表示例である。
【図２６】一の識別情報を徐々に拡大させる表示演出を行う場合の表示例である。
【発明を実施するための形態】
【０００７】
以下、本発明に係る遊技機の好ましい実施形態について、各図を参照して説明する。
【０００８】
［遊技機］
遊技機には、スロットマシン、パチンコ機など様々な種類があるが、本発明をスロットマシンに適用した場合について、図１〜図２６を参照しながら説明する。
【０００９】
図１〜３に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成された主制御部１０、主制御部１０からの指令により、スピーカ８，ランプ９，表示ユニット１００等の報知手段を制御する副制御部２０、及び必要な機械，装置等が収納されている。
【００１０】
前扉１ａは、図２に示すように、スロットマシン１の筐体１ｂにヒンジ等を介して開閉可能に取り付けられる扉体で、この前扉１ａに遊技操作に係る複数の操作部が設けられて、スロットマシン１の正面部を構成している。
【００１１】
操作部として、例えば、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
【００１２】
さらに、前扉１ａには、各リール４１ａ，４１ｂ，４１ｃに表示された図柄を視認可能とする表示窓６が、各操作部の上側に設けられている。
表示窓６には、筐体側窓部６ａが設けられ、この筐体側窓部６ａからは、表示窓６裏面に配置された表示ユニット１００による演出表示が視認できるようになっている。
また、前扉１ａ下部及び上部には、効果音、音声等が出力されるスピーカ８が設けられている。
【００１３】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１４】
［主制御部］
主制御部１０は、メインＣＰＵ、メインＲＯＭ、メインＲＡＭなどが一体化された制御用チップの搭載された主基板、これを収容する基板ケース等から構成され、上記の各操作部からの信号やメダルセレクタ２ｂからの信号に基づき、ドラムユニット４、メダル払出装置７などの各装置を制御することで、以下のようなスロットマシン遊技を進行させる。
【００１５】
具体的には、遊技者によりメダル投入口２からメダルが投入されると、メダルがメダルセレクタ２ｂにより検出され、検出信号が主制御部１０に入力される。また、ベットボタン２ａが操作された場合は、その操作信号が主制御部１０に入力される。主制御部１０は、これらの信号の入力の有無からゲーム可能なメダル数を監視するとともに、スタートレバー３の操作を監視する。
ゲーム開始可能なメダル数となったときに、スタートレバー３が操作されると、主制御部１０は、ドラムユニット４を駆動して、各リール４１ａ，４１ｂ，４１ｃを回転させる制御を行う。
【００１６】
さらに、主制御部１０は、スタートレバー３が操作されたときに、ボーナス遊技に移行する開始役であるボーナス役、小役、再遊技役などの複数の当選役（ハズレも含む）の中から今回ゲームの抽選結果をリール４１の停止前に事前に決定する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００１７】
また、主制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００１８】
また、スロットマシン１では、上述したようなスロットマシン遊技において、主制御部１０が所定の遊技タイミング（例えば、スタートレバー操作、停止ボタン操作、ボーナスゲーム開始、ボーナス役当選）において所定の制御信号を副制御部２０に出力することで、副制御部２０が、この制御信号に従い、予め記憶した演出プログラムに基づき、スピーカ８，ランプ９，表示ユニット１００等の報知手段を制御して、所定の遊技演出を行うようになっている。
【００１９】
主制御部１０から副制御部２０に出力される制御信号には、例えば、スタートレバー操作、停止ボタン操作、ボーナスゲーム開始などの遊技の進行を示す制御信号の他に、内部抽選の結果当選した抽選対象を示す当選対象信号（例えば、当選したボーナス役の種類［ビッグボーナス、レギュラーボーナス］、当選した小役の種類、再遊技役、ハズレなどを示す信号）などがある。
【００２０】
［副制御部］
副制御部２０は、主制御部１０と同様にコンピュータとして構成され、スピーカ８、ランプ９，表示ユニット１００を制御することで、所定の表示演出及び音響演出を行う。
副制御部２０は、サブＣＰＵ、サブＲＯＭ、サブＲＡＭなどの演出用チップの搭載された副基板、これを収容する基板ケース等から構成され、サブＣＰＵがサブＲＯＭに記憶されたプログラムを実行処理することで、表示ユニット１００に所定の表示態様で表示演出を行わせるとともに、スピーカ８から所定の音データを出力させ、さらに、ランプ９の点灯制御を行う。
【００２１】
このような構成からなる副制御部２０は、主制御部１０からの制御信号に基づいて以下のように動作する。
具体的には、サブＣＰＵは、主制御部１０からの制御信号に基づいてスロットマシン１のそのときの状態を判定し、その状態に応じた演出を行うようにスピーカ８，ランプ９，表示ユニット１００を制御する。
例えば、主制御部１０から内部抽選の結果当選した抽選対象を示す当選対象信号としてボーナス役の当選を示す制御信号を受信したときには、表示ユニット１００を制御してボーナス当選に係る表示演出を行わせる。また、ボーナス遊技に移行後は、ランプ９を所定のタイミングで点滅させるとともに、ファンファーレ音などの所定の効果音をスピーカ８から出力させる。
【００２２】
［表示ユニット］
次に、本発明に係る表示ユニット１００について、図４〜図２６を参照しながら説明する。
本実施形態に係る表示ユニット１００は、例えば、ボーナス役に内部当選したことを表示演出により報知する報知手段として動作する。
表示ユニット１００は、図４に示すように、ケース前部１２０とケース後部１１０からなり、略直方体の上底一辺を斜めに切り落とした形状のケース１０１を備える。
ケース１０１（ケース前部１２０）の上部前方には、ケース内部を視認可能な窓部１２１を設けている。
このような表示ユニット１００は、窓部１２１が、筐体側窓部６ａと対向するように配置され、その上部が筐体１ｂ側に傾くように前扉１ａ背面に取り付けられる（図２参照）。
【００２３】
表示ユニット１００は、図５、図６に示すように、反射ミラー１３０と表示手段収容部１４０を備え、これらを、ケース前部１２０及びケース後部１１０により前方及び後方から囲むようにして収容したユニット構造を有している。
ケース前部１２０及びケース後部１１０は、プラスチックなどの樹脂素材（黒色樹脂）からなり、相互に嵌合するように形成されている。
反射ミラー１３０は、一定の剛性を有するガラスやプラスチックの表面に鏡面を施したものであり、鏡面に入射した光を全反射する。
ケース１０１の上部には、反射ミラー１３０を取り付けるための構造を備える。具体的には、ケース後部１１０の上部には、反射ミラー１３０の鏡面に対応した形状（矩形形状）からなり、これを斜め前方に傾斜させたミラー設置面１１１を設け、ケース前部１２０には、このミラー設置面１１１に対応するように、後方に傾斜し、反射ミラー１３０の周縁を下方から支持するミラー支持部１２２を設けている。
反射ミラー１３０は、このミラー支持部１２２とミラー設置面１１１の間に、鏡面を下方に向けて挟持される。
これにより、反射ミラー１３０は、鏡面が鉛直方向に対して約４５°斜め前方に傾いた状態でケース上部に固定される。
【００２４】
表示手段収容部１４０は、図６、７に示すように、遊技の進行に関連する識別情報を表示可能な複数の表示手段を備えている。
【００２５】
表示手段は、印刷シート１５１、複数の導光板１６１〜１６４、及び立体構造物１７１を備え、略鉛直方向に沿って重ねて配置されながら、それぞれが識別情報を表示可能に構成されている。
また、印刷シート１５１の下面を照射する下方発光部１５４、導光板１６１〜１６４及び立体構造物１７１の後方端面を照射する後方発光部１４３、導光板１６１，１６３，１６４の側方端面を照射する側方発光部１４４を備えている。
【００２６】
印刷シート１５１は、透光性を有する樹脂シートにより構成され、図１１に示すように、透光領域１５１ａと非透光領域１５１ｂとに区画されている。透光領域１５１ａと非透光領域１５１ｂとの境界は、例えば、円形に象られており、これにより、下方発光部１５４から出射された光が印刷シート１５１を透過すると、円形からなる透光領域１５１ａの像（この像も１５１ａで示す）が印刷シート１５１から出射される。すなわち、印刷シート１５１は、下方発光部１５４からの光を受けて、識別情報として図形情報を表示可能に構成されている。また、透光領域１５１ａは、例えば、紫色に着色され、有色の透明領域となっている。
【００２７】
導光板１６１〜１６４は、透明樹脂やガラス等からなる矩形状の透光性板材で構成され、各導光板１６１〜１６４の表面や裏面には、文字や図形などの識別情報に沿って溝などの凹凸造形が施されている。
このような導光板１６１〜１６４の端面に光を入射すると、導光板１６１〜１６４内を伝播した光が凹凸造形により反射され、反射された光、すなわち、識別情報を象った光が導光板１６１〜１６４の表面からその表面に対しほぼ直交方向に出射される。つまり、導光板１６１〜１６４は、その端面に入射した光を表面から出射させることで識別情報を表示可能に構成されている。
【００２８】
また、導光板１６１〜１６４のうち、導光板１６１、１６３、１６４は、光の入射面となる端面のそれぞれ異なる二種類の凹凸造形が施されており、一の端面からの光の入射により一の凹凸造形が一の識別情報を表示可能であり、他の端面からの光の入射により他の凹凸造形が他の識別情報を表示可能に構成されている。
これは、凹凸造形を特定の入射方向の光を反射するように構成することにより実現できる。
例えば、所望の識別情報に沿ってＶ字状の溝を施すことにより、溝方向と直交する方向から光を入射させたときには、溝斜面における反射により光を表面方向に導いて出射させることができるが、溝方向と平行に光を入射させても、光は十分に反射されない。
このような方法を利用することで、所定方向の入射光を反射しつつ、他の方向の入射光を反射しない凹凸造形と、他の方向の入射光を反射しつつ所定方向の入射光を反射しない他の凹凸造形を、一つの導光板に施すことにより、一の端面からの光の入射により一の凹凸造形が一の識別情報を表示し、他の端面からの光の入射により他の凹凸造形が他の識別情報を表示することができる。
【００２９】
また、導光板１６１〜１６４は、透光性部材で構成されていることから、それぞれ裏面（図７中の下方側）から入射された光を表面（図７中の上方側）から出射可能に構成されている。
各導光板１６１〜１６４により表示される識別情報の表示例を以下に説明する。
【００３０】
図１２〜１５は、それぞれ導光板１６１〜１６４により表示される識別情報の表示例である。
【００３１】
導光板１６１は、印刷シート１５１の上層に配置され、図１２に示すように、後方端面を入射面としたときに（ａ）、印刷シート１５１の透光領域１５１ａの外形（円形）を帯状に縁取った線図からなる図形情報１６１１を一の識別情報として表示し、側方端面を入射面としたときに（ｂ）、印刷シート１５１の透光領域１５１ａと同一又は類似する円形からなる図形情報１６１２を他の識別情報として表示可能に構成されている。
また、図形情報１６１１が透光領域１５１ａを囲むように、透光領域１５１ａと図形情報１６１２の領域が相互に重なるように、導光板１６１と印刷シート１５１とが所定の間隔を空けて重ねて配置される。
【００３２】
導光板１６２は、導光板１６１との間に立体構造物１７１を挟むように、導光板１６１の上層に配置され、後方端面を入射面としたときに、図１３に示すように、大文字からなる「ＡＡＡＡＡ」の文字情報１６２１を識別情報として表示可能に構成されている。
【００３３】
導光板１６３は、導光板１６２の上層に配置され、図１４に示すように、後方端面を入射面としたときに（ａ）、中文字からなる「ＡＡＡＡＡ」の二つの文字情報１６３１，１６３２をそれぞれ一の識別情報として表示し、側方端面を入射面としたときに（ｂ）、小文字からなる「ＡＡＡＡＡ」の文字情報１６３３を他の識別情報として表示可能に構成されている。
さらに、二つの文字情報１６３１，１６３２は、後方端面に沿った方向において、離れた位置に配置されていることから、領域１６３ａを主に伝播する光を後方端面から入射することにより、文字情報１６３１を表示可能とし、領域１６３ｂを主に伝播する光を後方端面から入射することにより、文字情報１６３２を表示可能とすることができる。
【００３４】
導光板１６４は、導光板１６３の上層に配置され、図１５に示すように、後方端面を入射面としたときに（ａ）、図形情報１６４１を一の識別情報として表示し、側方端面を入射面としたときに（ｂ）、図形情報１６４２を他の識別情報として表示可能に構成されている。
図形情報１６４１と図形情報１６４２は、それぞれ一つの図形情報の一部分として構成され、後方端面と側方端面に同時に光を入射させた場合、一つの図形情報として表示される。
【００３５】
具体的には、一つの図形情報は「装飾具」であり、図形情報１６４１は「装飾具」の主に「中央部」に相当する部分を有し、図形情報１６４２は「装飾具」の「端部」に相当する図形情報１６４２ａと、「中央部」の一部に相当する図形情報１６４２ｂとを有する。
各図形情報１６４１，１６４２は、一方の実表示部分が他方の非表示部分を相互に補完する位置に表示されており、例えば、図形情報１６４１は、実表示部分として「中央部」を備えるものの、「端部」の表示がなく、反対に、図形情報１６４２は、実表示部分として「端部」を備えるものの、「中央部」の一部の表示がない。
このような構成により、後方端面と側方端面にそれぞれ色の異なる光を入射させた場合、図２０に示すように、「中央部」と「端部」の色分けされた装飾具を表示することができる。
【００３６】
また、各図形情報１６４１，１６４２において「中央部」には、それぞれ（斜めの）縦線模様が表示される。図形情報１６４１では、３本の縦線模様が表示され、図形情報１６４２（１６４２ｂ）では、２本の縦線模様が表示され、それぞれが一方の実表示部分が他方の非表示部分を相互に補完する位置に表示されているとともに、実表示部分と非表示部分は、ほぼ等間隔となる規則性をもって隣接配置されている。
このような配置により、後方端面と側方端面にそれぞれ色の異なる光を入射させた場合、図２０に示すように、「中央部」が縞模様となる「装飾具」を表示することができる。
なお、各図形情報１６４１，１６４２において「中央部」を、それぞれ四角などの模様とし、実表示部分と非表示部分をほぼ等間隔となる規則性をもって隣接配置することにより、後方端面と側方端面にそれぞれ色の異なる光を入射させた場合、格子模様となる「装飾具」を表示することができる。
【００３７】
立体構造物１７１は、図１６に示すように、立体造形部１７１１と導光部１７１２とを備えた透光性部材からなり、例えば、透光性を有する乳白色の樹脂成形品で構成されている。
立体造形部１７１１は、光の伝播方向（図７中の上下方向）に沿った高さを有する立体構造物からなり、その外形自体が、例えば、「ＢＢＢＢＢＢ」の文字からなる文字情報（これも１７１１で示す）を有している。また、立体造形部１７１１は、光の伝播方向（下方から上方）に向かうに従い先細りとなるテーパ形状を有している。これにより、窓部１２１から表示ユニット１００内部を覗いたときに、立体造形部１７１１がさらに立体視されることになる。
導光部１７１２は、その端面１７１３から入射される後方発光部１４３からの光を、拡散させながら立体造形部１７１１に伝播させる。これにより、後方発光部１４３から光が出射されているときは、図１６（ｂ）に示すように、「ＢＢＢＢＢＢ」の文字情報１７１１が識別情報として窓部１２１を介して視認可能となり、後方発光部１４３から光が照射されていないときは、「ＢＢＢＢＢＢ」の文字情報１７１１が視認不能又は困難となる。
【００３８】
また、導光部１７１２は、光源となる後方発光部１４３寄りに設けられる第１導光部１７１２ａと、立体造形部１７１１寄りに設けられるとともに第１導光部１７１２ａとの間に上下方向の段差を有する第２導光部１７１２ｃと、第１導光部１７１２ａと第２導光部１７１２ｃとの間に設けられる屈折部１７１２ｂと、が含まれる。
第２導光部１７１２ｃは、立体造形部１７１１の上下方向の高さを確保するために、第１導光部１７１２ａよりも低い位置（導光板１６１寄り）に配置されており、屈折部１７１２ｂはこれらの間の段差をつなぐ機能を有している。
【００３９】
以上説明した、印刷シート１５１、複数の導光板１６１〜１６４、及び立体構造物１７１などの表示手段は、表示手段収納部１４０において、図６、図７に示すように上下方向に沿って重ねて配置される。
表示手段収納部１４０は、図７に示すように、各表示手段を積層収容可能なベース部１４１を備え、これに、ＬＥＤなどの光源が搭載された下方発光部１５４、後方発光部１４３、側方発光部１４４が取り付けられる。
【００４０】
ベース部１４１は、例えば、黒色樹脂によって形成され、表示手段を上下方向に重ねて配置可能に構成されている。具体的には、その後方及び側方に、水平方向に延びる細板状の棚受け１４１１を備え、この棚受け１４１１によって各表示手段の周縁等が支持される。
棚受け１４１１は、全部で７段あり、最下部の１段目には、印刷シート１５１、拡散シート１５２、基板ホルダー１５３、及び下方発光部１５４がまとめて装入される。
【００４１】
下方発光部１５４は、複数のＬＥＤ１５４１、これらを発光制御可能な基板１５４０などを備え、印刷シート１５１に向けて光を出射可能に構成されている。
これにより、ＬＥＤ１５４１を点灯させると、印刷シート１５１が照射されることになり、透光領域１５１ａを象った像が導光板１６１〜１６４を透過するとともに、反射ミラー１３０に反射されて、窓部１２１を通して像１５１ａが視認される（図１１参照）。
拡散シート１５２は、透光性を有する乳白色の樹脂シートで構成され、ＬＥＤ１５４１からの光を拡散する。これにより、印刷シート１５１がＬＥＤ１５４１により均等に照射される。
基板ホルダー１５３は、下方発光部１５４を固定可能、拡散シート１５２、印刷シート１５１の順にこれらを載置可能に構成されている。
【００４２】
下から２段目の棚受け１４１１には、導光板１６１が装入される。
また、導光板１６１の後方端面と後方発光部１４３との間には、集光部材１６５が配置され、導光板１６１の側方端面と側方発光部１４４との間には、集光部材１６６が配置されている。
集光部材１６５，１６６は、後方発光部１４３及び側方発光部１４４に備えるＬＥＤから出射される光を、それぞれ後方端面及び側方端面に向けて集光する機能を有する。
【００４３】
下から３段目の棚受け１４１１には、立体構造物１７１が装入される。
立体構造物１７１は、導光部１７１２の上部に黒色のホルダー１７２が重ねられた状態で、棚受け１４１１に装入される。
このホルダー１７２により、導光部１７１２からの漏れ光が防止される。
【００４４】
下から４〜６段目の棚受け１４１１には、それぞれ導光板１６２〜１６４が装入される。
また、導光板１６２〜１６４の後方端面と後方発光部１４３の間には、導光板１６１と同様、集光部材１６５がそれぞれ配置されている。なお、導光板１６３と後方発光部１４３の間には、集光部材１６５として、２つの集光部材１６５ａ，１６５ｂが配置されている。
【００４５】
また、最上段に位置する７段目の棚受け１４１１には、マスクプレート１８１が装入される。
マスクプレート１８１は、導光板１６１〜１６４の形状に合わせ、矩形状の薄板部材として構成され、透明な樹脂部材をベースとしながら、導光板１６１〜１６４の端部に対応した端部の周辺領域のみに、光を透過しない不透光領域を備えている。不透光領域は、例えば、透明なベース部材の周辺に、黒色の塗料やシールといった不透光性の塗料や部材を塗布又は貼付することで形成することができる。
このような不透光領域を備えたマスクプレート１８１を、導光板１６１〜１６４の光の出射側に重ねることで、導光板１６１〜１６４の端部周辺に発生する「光漏れ」を抑制する。
【００４６】
本実施形態の「光漏れ」とは、ＬＥＤなど指向性の高い光を照射する点光源を用いることに起因し、導光板１６１〜１６４の光源に近い端部周辺の光量が局所的に多くなる現象や、光源から照射された光のうち、端面に入射されず漏れ出た成分によって、端部周辺の光量が局所的に多くなる現象のことをいう。
本実施形態では、マスクプレート１８１を、最上層に配置することで、導光板１６１〜１６４などから出射される文字や図形などの識別情報を含む光を透過させつつ、各導光板１６１〜１６４の端部周辺に生ずる漏れ光を不透光領域によって透過させないようにすることができる。また、マスクプレート１８１を、最上層に配置することで、窓部１２１を介して表示ユニット１００の外からユニット内部に進入する光を遮断することができ、下方発光部１５４、後方発光部１４３、及び側方発光部１４４に搭載されたＬＥＤを点灯しない限り、窓部１２１内の空間を真っ暗な状態にすることができる。
【００４７】
後方発光部１４３は、図７、８、１０（ａ）に示すように、導光板１６１〜１６４及び立体構造物１７１の後方端面に対向配置され、ＬＥＤ１４３１〜１４３５と、副制御部２０によりこれらを独立して発光制御可能に構成された基板１４３０とを備えている。
ＬＥＤ１４３１〜１４３５はそれぞれ導光板１６１〜１６４及び立体構造物１７１に対応して設けられている。
【００４８】
ＬＥＤ１４３１は、導光板１６１の後方端面を照射可能に構成された光源であり、後方端面に沿って等間隔で６つ設けられている。
６つのＬＥＤは、例えば、フルカラーＬＥＤからなり、副制御部２０によりそれぞれが独立して発光制御され、例えば、左右方向に沿った移動点灯や点灯色を個々に変更することができる。これにより、ＬＥＤ１４３１を点灯させると、導光板１６１の後方端面が照射されることになり、図形情報１６１１に対応する像が、導光板１６２〜１６４及びマスクプレート１８１を透過するとともに、反射ミラー１３０に反射されて、窓部１２１を通して円形の線図が視認される（図１２（ａ）参照）。
【００４９】
ＬＥＤ１４３２は、立体構造物１７１の後方端面１７１３を照射可能に構成された光源であり、後方端面に沿って等間隔で４つ設けられている。
４つのＬＥＤは、例えば、フルカラーＬＥＤからなり、副制御部２０によりそれぞれが独立して発光制御され、例えば、左右方向に沿った移動点灯や点灯色を個々に変更することができる。
これにより、ＬＥＤ１４３２を点灯させると、立体構造物１７１の後方端面１７１３が照射されることになり、立体造形部１７１１に対応する像が、導光板１６２〜１６４及びマスクプレート１８１を透過するとともに、反射ミラー１３０に反射されて、窓部１２１を通して「ＢＢＢＢＢＢ」が視認可能となる（図１６（ｂ）参照）。
また、ＬＥＤ１４３２を点灯させないときには、「ＢＢＢＢＢＢ」が視認不能又は困難となる。
【００５０】
ＬＥＤ１４３３は、導光板１６２の後方端面を照射可能に構成された光源であり、後方端面に沿って等間隔で６つ設けられている。
６つのＬＥＤは、例えば、フルカラーＬＥＤからなり、副制御部２０によりそれぞれが独立して発光制御され、例えば、左右方向に沿った移動点灯や点灯色を個々に変更することができる。
これにより、ＬＥＤ１４３３を点灯させると、導光板１６２の後方端面が照射されることになり、文字情報１６２１に対応する像が、導光板１６２の表面から出射され、導光板１６３，１６４及びマスクプレート１８１を透過するとともに、反射ミラー１３０に反射されて、窓部１２１を通して大文字からなる「ＡＡＡＡＡ」が視認される（図１３参照）。
【００５１】
ＬＥＤ１４３４は、導光板１６３の後方端面を照射可能に構成された光源であり、後方端面に沿って４つ設けられている。
４つのＬＥＤは、例えば、フルカラーＬＥＤからなり、副制御部２０によりそれぞれが独立して発光制御され、例えば、左右方向に沿った移動点灯や点灯色を個々に変更することができる。また、左右２つずつのＬＥＤ１４３１ａ，ＬＥＤ１４３１ｂが一組となって、これに対向して配置された集光部材１６５ａ、１６５ｂのそれぞれに向けて光を照射する。
これにより、ＬＥＤ１４３４を点灯させると、導光板１６３の後方端面が照射されることになり、各文字情報１６３１，１６３２に対応する像が、導光板１６３の表面から出射され、導光板１６４及びマスクプレート１８１を透過するとともに、反射ミラー１３０に反射されて、窓部１２１を通して中文字からなる２つの「ＡＡＡＡＡ」がそれぞれ視認される（図１４（ａ）参照）。
【００５２】
ＬＥＤ１４３５は、導光板１６４の後方端面を照射可能に構成された光源であり、後方端面に沿って等間隔で２つ設けられている。
２つのＬＥＤは、例えば、フルカラーＬＥＤからなり、副制御部２０によりそれぞれが独立して発光制御され、例えば、左右方向に沿った移動点灯や点灯色を個々に変更することができる。
これにより、ＬＥＤ１４３５を点灯させると、導光板１６４の後方端面が照射されることになり、図形情報１６４１に対応する像が、導光板１６４の表面から出射され、マスクプレート１８１を透過するとともに、反射ミラー１３０に反射されて、「装飾具」の「中央部」が視認される（図１５（ａ）参照）。
【００５３】
側方発光部１４４は、図７、９、１０（ｂ）に示すように、導光板１６１〜１６４の側方端面（例えば、左方端面）に対向配置され、ＬＥＤ１４４１〜１４４３と、副制御部２０によりこれらを独立して発光制御可能に構成された基板１４４０とを備えている。
ＬＥＤ１４４１〜１４４３はそれぞれ導光板１６１，１６３，１６４に対応して設けられている。
【００５４】
ＬＥＤ１４４１は、導光板１６１の側方端面を照射可能に構成された光源であり、側方端面に沿って等間隔で４つ設けられている。
４つのＬＥＤは、例えば、フルカラーＬＥＤからなり、副制御部２０によりそれぞれが独立して発光制御され、例えば、前後方向に沿った移動点灯や点灯色を個々に変更することができる。また、４つのＬＥＤは、対向して配置された集光部材１６６に向けて光を照射する。
これにより、ＬＥＤ１４４１を点灯させると、導光板１６１の側方端面が照射されることになり、図形情報１６１２に対応する像が、導光板１６１の表面から出射され、導光板１６２〜１６４及びマスクプレート１８１を透過するとともに、反射ミラー１３０に反射されて、窓部１２１を通して円形が視認される（図１２（ｂ）参照）。
【００５５】
ＬＥＤ１４４２は、導光板１６３の側方端面を照射可能に構成された光源であり、側方端面に対向して１つ設けられている。
このＬＥＤは、例えば、フルカラーＬＥＤからなり、副制御部２０により発光制御される。
これにより、ＬＥＤ１４４２を点灯させると、導光板１６３の側方端面が照射されることになり、文字情報１６３３に対応する像が、導光板１６３の表面から出射され、導光板１６４及びマスクプレート１８１を透過するとともに、反射ミラー１３０に反射されて、窓部１２１を通して小文字からなる「ＡＡＡＡＡ」が視認される（図１４（ｂ）参照）。
【００５６】
ＬＥＤ１４４３は、導光板１６４の側方端面を照射可能に構成された光源であり、側方端面に沿って２つ設けられている。
２つのＬＥＤは、例えば、フルカラーＬＥＤからなり、副制御部２０によりそれぞれが独立して発光制御され、例えば、前後方向に沿った移動点灯や点灯色を個々に変更することができる。
これにより、ＬＥＤ１４４３を点灯させると、導光板１６４の側方端面が照射されることになり、図形情報１６４２（１６４２ａ，１６４２ｂ）に対応する像が、導光板１６４の表面から出射され、マスクプレート１８１を透過するとともに、反射ミラー１３０に反射されて、「装飾具」の「端部」と「中央部」の一部が視認される（図１５（ｂ）参照）。
また、ＬＥＤ１４４３の点灯色と、導光板１６４の後方端面を照射可能なＬＥＤ１４３５の点灯色を変えることにより、図２０に示すように、「端部」と「中央部」とが色分けされた「装飾具」を表示することができるとともに、「中央部」が縞模様となる「装飾具」を表示することができる。
【００５７】
このような構成からなる表示ユニット１００によれば、副制御部２０が下方発光部１５４、後方発光部１４３、側方発光部１４４に備えるＬＥＤを点灯制御（消灯、点滅、及び点灯色の変更も含む、以下同じ）することにより、印刷シート１５１、導光板１６１〜１６４、立体構造物１７１に向けて同時に又は選択的に光を照射する。
これにより、印刷シート１５１、導光板１６１〜１６４、及び立体構造物１７１に光が入射されるとともに、それぞれから識別情報を含む映像光Ｌが出射される（図８（ｂ）参照）。
映像光Ｌは、それぞれ上位層の導光板及びマスクプレート１８１を通過して反射ミラー１３０まで直進し、反射ミラー１３０により全反射されて窓部１２１、すなわち、遊技者の目に向かって直進する。
この映像光Ｌは、反射ミラー１３０により識別情報が左右に反転された態様として遊技者に視認される。
【００５８】
また、印刷シート１５１、導光板１６１〜１６４、及び立体構造物１７１は層状に積み重なれていることから、それぞれから出射される光は、伝播方向に沿った前後関係を有している。このため、それぞれから出射された光に含む識別情報は、各層の間隔に応じた遠近差を有することになる。
つまり、窓部１２１から見ると、透光領域１５１ａを象った像（「円形」）が一番奥側に見え、その上に、図形情報１６１１，１６２２（「円形」）が見える。さらに、その上に、立体造形部１７１１（「ＢＢＢＢＢＢ」）、その上に、文字情報１６２１（「ＡＡＡＡＡ」）、その上に、文字情報１６３１〜１６３３（「ＡＡＡＡＡ」）が見え、さらに、その上に、図形情報１６４１，１６４２（「装飾具」）が見えることになり、各識別情報がそれぞれ遠近感を生じさせ、立体的に見えるようになっている。
【００５９】
また、ＬＥＤなどの高指向性の光源を用いることにより、窓部１２１には、反射ミラー１３０により反射された直進性の高い光が伝播され、さらに、マスクプレート１８１を用いて光漏れを防いでいる。
このため、遊技者だけが印刷シート１５１、導光板１６１〜１６４、及び立体構造物１７１からの映像光Ｌを見ることができる。
【００６０】
［表示ユニットの特徴］
このような構成からなる表示ユニット１００は、以下のような特徴を有している。
図８（ａ）は、図４に示す表示ユニット１００のＡ−Ａ断面斜視図、図８（ｂ）はＡ−Ａ断面図、図９はＢ−Ｂ断面図である。
これらの図から分かるように、それぞれが重なって配置される導光板１６１と導光板１６２との間に、立体構造物１７１が配置されている。つまり、導光板１６１と導光板１６２のいずれか一方を第１導光板、他方を第２導光板としたときに、第１導光板と第２導光板との間に立体構造物が配置されている。このような配置により、各導光板１６１，１６２の識別情報を表示させるとともに（対応するＬＥＤを点灯させる）、立体構造物１７１に対応するＬＥＤ１４３２を点灯させると、２つの導光板１６１，１６２の積層関係から生じる遠近感に加え、立体構造物１７１２が有する立体感により、窓部１２１内に広がる空間において各導光板１６１，１６２の識別情報の間に立体構造物１７１が浮かんでいるように見え、立体的な視覚効果が助長される。
【００６１】
また、導光板１６１、導光板１６２、及び導光板１６３はこの順に重なって配置されるとともに、導光板１６１と導光板１６２との間の距離が導光板１６２と導光板１６３との間の距離よりも長くなるように配置されている。つまり、導光板１６１、導光板１６２、及び導光板１６３をそれぞれ第１導光板、第２導光板、及び第３導光板としたときに、第１導光板と第２導光板との間の距離が第２導光板と第３導光板との間の距離よりも長くなるように配置されている。
このような配置により、第１導光板と第２導光板との間に、立体造形部１７１１の高さを十分に確保することができ、立体造形部１７１１を立体的に見せる効果が助長される。
【００６２】
また、導光板１６１と導光板１６２との間の距離が導光板１６２と導光板１６３との間の距離よりも長くなるように配置されながらも、各導光板１６１〜１６４及び立体構造物１７１に光を入射する後方発光部１４３の基板１４３０上において、ＬＥＤ１４３１〜１４３５は、各導光板１６１〜１６４の積層方向に沿って、図１０（ａ）に示すように、それぞれに対応するＬＥＤ１４３１〜１４３５が所定の間隔を空けて並べて配設される。
すなわち、ＬＥＤ１４３１〜１４３５は各導光板１６１〜１６４の積層方向に沿って等間隔で配置されている。
これは、屈折部１７１２ｂを設けることにより実現されたものである。つまり、屈折部１７１２ｂにより、立体造形部１７１１の高さを確保しつつ、第１導光部１７１２ａを各導光板１６１〜１６４とともに等間隔で配置したのである。
このような配置により、基板１４３０上において、各ＬＥＤ１４３１〜１４３５に対して給電可能に接続されるプリント配線の間隔を等間隔にすることができ、プリント配線のパターン設計の労力が軽減される。
【００６３】
［光源の光度］
また、副制御部２０の各ＬＥＤ１４３１，１４３３〜１４３５，１４４１〜１４４３に対する点灯制御、各ＬＥＤ１４３１，１４３３〜１４３５，１４４１〜１４４３のワット数（又はルーメン、カンデラ）、及び各ＬＥＤ１４３１，１４３３〜１４３５，１４４１〜１４４３の個数等のうち少なくともいずれか一つを違えることにより、各導光板１６１〜１６４に入射される光の強さ（光度）を変えることができる。
副制御部２０による点灯制御としては、例えば、ＰＷＭ階調制御を採用し、各ＬＥＤ１４３１，１４３３〜１４３５，１４４１〜１４４３のデューティ比を変えることによって、各導光板１６１〜１６４に入射される光の強さを変えることができる。
【００６４】
このように、各導光板１６１〜１６４に入射する光の強さを違えるために、ＬＥＤに対する点灯制御、ＬＥＤのワット数（又はルーメン、カンデラ）、ＬＥＤの個数のうち少なくともいずれか一つを変更することにより、各導光板１６１〜１６４によって表示される識別情報の明度（明暗）を調整することができ、それぞれを最適なタイミングで明瞭に見せることができる。
【００６５】
具体的には、導光板１６１を第１導光板、導光板１６２を第２導光板とするとともに、ＬＥＤ１４３１を第１光源、ＬＥＤ１４３３を第２光源としたときには、ＬＥＤ１４３１が導光板１６１に入射する光の強さと、ＬＥＤ１４３３が導光板１６２に入射する光の強さを異ならせることが可能となる。
導光板１６１は導光板１６２よりも下層側に位置するため（遊技者の目までの距離が遠いため）、導光板１６１により表示される識別情報は導光板１６２により表示される識別情報よりも暗く見えるという欠点がある。そこで、ＬＥＤ１４３３が導光板１６２に入射する光よりもＬＥＤ１４３１が導光板１６１に入射する光の方を強くすることにより、このような欠点を解消することができる。
この場合、ＬＥＤ１４３１とＬＥＤ１４３３は、ＬＥＤの個数がそれぞれ６つと同じなので、ワット数（又はルーメン）を変えるか、又は、点灯制御を変えることにより、ＬＥＤ１４３３が導光板１６２に入射する光よりもＬＥＤ１４３１が導光板１６１に入射する光の方を強くすることができる。
【００６６】
また、導光板１６１は、ＬＥＤ１４４１から側方端面に向かって光を照射したときに、図形情報１６１２（「円形」，第１識別情報）を表示可能に構成されている。
また、導光板１６２は、ＬＥＤ１４３３から後方端面に向かって光を照射したときに、文字情報１６２１（「ＡＡＡＡＡ」，第２識別情報）を表示可能に構成されている。
このような構成において、導光板１６１を第１導光板、導光板１６２を第２導光板とするとともに、ＬＥＤ１４４１を第１光源、ＬＥＤ１４３３を第２光源としたときに、ＬＥＤ１４４１が導光板１６１に入射する光よりもＬＥＤ１４３３が導光板１６２に入射する光の方を強くすることができる。
このようにすることにより、文字情報１６２１（「ＡＡＡＡＡ」）を図形情報１６１２よりも明るく表示することができ、文字情報は図形情報に比べて情報量が多いため情報の識別性が図形情報よりも劣るという欠点を補うことができる。
本実施形態の場合、ＬＥＤの個数は、ＬＥＤ１４４１の４個に対し、ＬＥＤ１４３３が６個であることから、ＬＥＤ１４４１が導光板１６１に入射する光よりもＬＥＤ１４３３が導光板１６２に入射する光の方が強くなっている。なお、両者のＬＥＤの数を同じにして、点灯制御を変えることにより、ＬＥＤ１４４１が導光板１６１に入射する光よりもＬＥＤ１４３３が導光板１６２に入射する光の方を強くすることもできる。
【００６７】
また、印刷シート１５１は、後方（図７〜１０中では下方）からＬＥＤ１５４１によって光が照射されたときに、図形情報１６１２と同一又は類似する透光領域１５１ａを象った像（第３識別情報）を表示可能に構成されている。
また、副制御部２０は、ＬＥＤ１４４１（第１光源）を点灯させて導光板１６１（第１導光板）による図形情報１６１２（第１識別情報）と、ＬＥＤ１４３３（第２光源）を点灯させて導光板１６２（第２導光板）による文字情報１６２１（「ＡＡＡＡＡ」，第２識別情報）とを表示させる第１表示を実行可能である。
さらに、副制御部２０は、ＬＥＤ１５４１を点灯させて印刷シート１５１による像１５１ａ（第３識別情報）と、ＬＥＤ１４３３を点灯させて導光板１６２（第２導光板）による文字情報１６２１（「ＡＡＡＡＡ」，第２識別情報）とを表示させる第２表示を実行可能である。
【００６８】
この場合において、副制御部２０は、第１表示においてＬＥＤ１４３３が導光板１６２に入射する光の強さと、第２表示においてＬＥＤ１４３３が導光板１６２に入射する光の強さを異ならせることが可能である。
つまり、印刷シート１５１と導光板１６１は、同一又は類似する識別情報を表示するものの、それぞれは光の入射方向が異なることから（一方が下方、他方が端面）、上方に向かって出射される光の強さも異なることになり、その結果、この出射光に合成される文字情報１６２１（「ＡＡＡＡＡ」）の視認性が変化することになる。そこで、印刷シート１５１により識別情報（１５１ａ）を表示するときと、導光板１６１により識別情報（１６１２）を表示するときとで、文字情報１６２１（「ＡＡＡＡＡ」）の明るさ（輝度）を変えることが好ましい。
【００６９】
下方発光部１５４から反射ミラー１３０に向かう方向を光の伝播経路とすると、下方発光部１５４のＬＥＤ１５４１は、伝播経路に沿った光軸を有するように配置されるものの、後方発光部１４３及び側方発光部１４４のＬＥＤ１４３１〜１４３５及びＬＥＤ１４４１〜１４４３の光軸は伝播経路に直交している。そうすると、一般的に、伝播経路に沿った光軸を有する下方発光部１５４からの光の方が、後方発光部１４３及び側方発光部１４４からの光よりも明るく見える。
そこで、印刷シート１５１により識別情報（１５１ａ）を表示するときでは、文字情報１６２１（「ＡＡＡＡＡ」）の識別力を高めるために、導光板１６１により識別情報（１６１２）を表示するときよりも、ＬＥＤ１４３３が導光板１６２に入射する光の強さを強くすることが好ましい。つまり、第１表示においてＬＥＤ１４３３が導光板１６２に入射する光の強さよりも、第２表示においてＬＥＤ１４３３が導光板１６２に入射する光の強さの方を強くすることが好ましい。
この場合、第１表示と第２表示とで、ＬＥＤ１４３３の点灯制御を変更することにより、導光板１６２に入射する光の強さを変えることができる。
なお、この例に限らず、第２表示においてＬＥＤ１４３３が導光板１６２に入射する光の強さよりも、第１表示においてＬＥＤ１４３３が導光板１６２に入射する光の強さの方を強くすることもできる。
【００７０】
また、透光領域１５１ａを象った像（第３識別情報）は、印刷シート１５１によって所定色（例えば、透明な紫色）で表示される。特に、第２表示において、ＬＥＤ１５４１の点灯色を白色にすることにより、所定色が際立って表示される。
これに対して、第１表示において表示される図形情報１６１２は、例えば、赤色などの光を、ＬＥＤ１４４１を点灯制御して導光板１６１に入射させることにより、所定色とは異なる色で表示されることが好ましい。
これにより、印刷シート１５１と導光板１６１は、同一又は類似する識別情報を表示するものの、印刷シート１５１により表示される識別情報（１５１ａ）は、所定色として固定され、色の変更が困難であるのに対して、導光板１６１により表示される識別情報（１６１２）は、ＬＥＤ１４４１の点灯色を自在に変更できることから、第１表示と第２表示とを切り替えることにより、同じ形の識別情報であっても色彩が変わるので、見る者に違った印象を与えることができる。
なお、第１表示と第２表示とを同時に行い、色違いとしながら同一又は類似する識別情報を同時に表示させてもよい。また、下方発光部１５４からの光は伝播経路に沿った光軸を有することから、安定的な視認性を確保する上で、第２表示による演出を優先して行うことが好ましい。
【００７１】
［表示演出］
また、副制御部２０が各ＬＥＤ１４３１〜１４３５，１４４１〜１４４３を点灯制御して、印刷シート１５１、複数の導光板１６１〜１６４、及び立体構造物１７１などの表示手段により表示される識別情報を組合せて表示させることにより、以下に示すような様々な表示演出を行うことができる。
なお、以下に示す表示演出は、ボーナス当選後、ボーナス遊技が開始（ボーナス図柄が停止）されるまでの間において行うことが好ましい。
【００７２】
例えば、印刷シート１５１を照射するＬＥＤ１５４１と、導光板１６１の後方端面を照射するＬＥＤ１４３１と、導光板１６２の後方端面を照射するＬＥＤ１４３３と、立体構造物１７１の後方端面を照射するＬＥＤ１４３２とを、副制御部２０が点灯制御することにより、図１７に示すような表示演出を行うことができる。
【００７３】
図１７（ａ）は、導光板１６１の後方端面を照射するＬＥＤ１４３１と、導光板１６２の後方端面を照射するＬＥＤ１４３３と、立体構造物１７１の後方端面を照射するＬＥＤ１４３２とを、点灯したときの表示演出を示す例である。
このような表示演出により、表示ユニット１００内に広がる真っ暗な内部空間において、円形の線図からなる図形情報１６１１の上に、立体造形部１７１１の像「ＢＢＢＢＢＢ」が重なり、さらに、その上に、「ＡＡＡＡＡ」の文字情報１６２１が重なって見える映像を表示させることができる。
【００７４】
図１７（ｂ），（ｃ）は、導光板１６１の後方端面を照射するＬＥＤ１４３１と、導光板１６２の後方端面を照射するＬＥＤ１４３３と、立体構造物１７１の後方端面を照射するＬＥＤ１４３２と、印刷シート１５１を照射するＬＥＤ１５４１とを、点灯したときの表示演出を示す例である。
このような表示演出により、表示ユニット１００内に広がる真っ暗な内部空間において、透光領域１５１ａに対応する像の上に、円形の線図からなる図形情報１６１１が重なり、さらに、その上に、立体造形部１７１１の像「ＢＢＢＢＢＢ」、及び「ＡＡＡＡＡ」の文字情報１６２１が重なって見える映像を表示させることができる。
特に、図１７（ｂ），（ｃ）は、導光板１６１の後方端面を照射する６つのＬＥＤ１４３１それぞれを、左（ｂ）から右（ｃ）に、又は右（ｃ）から左（ｂ）に順次移動点灯させたときの表示演出を示している。このような移動点灯に加え、移動点灯タイミングに応じて、ＬＥＤの点灯色を７色に変化させるグラデーション演出を行うことが好ましい。
【００７５】
図１８（ａ）は、印刷シート１５１を照射するＬＥＤ１５４１と、導光板１６２の後方端面を照射するＬＥＤ１４３３とを、点灯したときの表示演出を示す例である。
このような表示演出により、表示ユニット１００内に広がる真っ暗な内部空間において、透光領域１５１ａに対応する像の上に、「ＡＡＡＡＡ」の文字情報１６２１が重なって見える映像を表示させることができる。
また、図１８（ｂ）は、導光板１６２の後方端面を照射するＬＥＤ１４３３と、立体構造物１７１の後方端面を照射するＬＥＤ１４３２とを、点灯したときの表示演出を示す例である。
このような表示演出により、「ＡＡＡＡＡ」の文字情報１６２１と、立体造形部１７１１の像「ＢＢＢＢＢＢ」とが宙に浮いているように見える映像を表示させることができる。
【００７６】
図１９は、印刷シート１５１を照射するＬＥＤ１５４１と、立体構造物１７１の後方端面を照射するＬＥＤ１４３２と、導光板１６２の後方端面を照射するＬＥＤ１４３３と、導光板１６３の後方端面を照射するＬＥＤ１４３４と、導光板１６３の側方端面を照射するＬＥＤ１４４２とを、点灯制御するときの表示演出を示す例である。
この例では、ＬＥＤ１５４１とＬＥＤ１４３２とを点灯したままの状態としながら、ＬＥＤ１４３３、ＬＥＤ１４３４（１４３４ａ，１４３４ｂ）、及びＬＥＤ１４４２の点灯タイミングを順次切り替えることにより、一つの識別情報が所定の軌跡を描くように移動する表示演出を行う例を示している。
【００７７】
一の識別情報は、例えば、「ＡＡＡＡＡ」からなる文字情報であり、軌跡はループ状の軌跡としてある。
ループ状の軌跡Ｋは、その一部Ｋａ（太２点鎖線）が平面視したときの導光板１６２及び導光板１６３と重なり、他部Ｋｂ（細２点鎖線）が導光板１６２及び導光板１６３以外の仮想空間に位置している。
導光板１６２（第３導光板）及び導光板１６３（第４導光板）は、当該軌跡Ｋ上の複数個所における「ＡＡＡＡＡ」の移動形態それぞれを表すコマ割り識別情報を有している。
例えば、コマ割り識別情報として、導光板１６２は、大文字の「ＡＡＡＡＡ」からなる文字情報１６２１を有し、導光板１６３は、中文字の「ＡＡＡＡＡ」からなる二つの文字情報１６３１，１６３２と、小文字の「ＡＡＡＡＡ」からなる文字情報１６３３を有している。
【００７８】
副制御部２０は、表示態様切替手段として動作し、ＬＥＤ１５４１とＬＥＤ１４３２とを点灯したままの状態としながら、ＬＥＤ１４３３、ＬＥＤ１４３４ａ、１４３４ｂ、及びＬＥＤ１４４２の点灯タイミングを順次切り替えることにより、各コマ割り識別情報それぞれの表示態様を、表示又は非表示のいずれかに切り替える。
例えば、図１９（ａ）は、ＬＥＤ１４３４ａのみを点灯させ、他のＬＥＤ（ＬＥＤ１４３３，１４３４ｂ，ＬＥＤ１４４２）を消灯させることにより、文字情報１６３１を表示させた例を示している。
図１９（ｂ）は、ＬＥＤ１４３３のみを点灯させ、他のＬＥＤ（１４３４ａ，１４３４ｂ，ＬＥＤ１４４２）を消灯させることにより、文字情報１６２１を表示させた例を示している。
図１９（ｃ）は、ＬＥＤ１４３４ｂのみを点灯させ、他のＬＥＤ（ＬＥＤ１４３３，１４３４ａ，ＬＥＤ１４４２）を消灯させることにより、文字情報１６３２を表示させた例を示している。
図１９（ｄ）は、ＬＥＤ１４４２のみを点灯させ、他のＬＥＤ（ＬＥＤ１４３３，１４３４ａ，ＬＥＤ１４３４ｂ）を消灯させることにより、文字情報１６３３を表示させた例を示している。
図１９（ａ）〜（ｄ）それぞれの切り替えタイミング、すなわち、各ＬＥＤの点灯タイミングは、「ＡＡＡＡＡ」がループ状の軌跡を一定の速度で移動するものと仮定したタイミングとすることが好ましい。
このように、各コマ割り識別情報（１６２１，１６３１〜１６３３）それぞれの表示態様を、表示又は非表示のいずれかに切り替えることにより、一つの識別情報（「ＡＡＡＡＡ」）がループ状の軌跡を描くように反時計回りで移動する表示演出を行うことができる。
【００７９】
また、一の識別情報（「ＡＡＡＡＡ」）が軌跡Ｋの一部Ｋａを移動しているものと仮定される期間において、当該軌跡Ｋの一部Ｋａを一の識別情報（「ＡＡＡＡＡ」）が一定の速度で移動するものと仮定したタイミングで、複数個所に対応する一の識別情報の移動形態それぞれを表すコマ割り識別情報（１６２１，１６３１〜１６３３）を表示（対応するＬＥＤの点灯）又は非表示（消灯）のいずれかに切り替え、一の識別情報（「ＡＡＡＡＡ」）が軌跡Ｋの他部Ｋｂを移動しているものと仮定される期間において、複数個所に対応する一の識別情報の移動形態それぞれを表すコマ割り識別情報（１６２１，１６３１〜１６３３）をすべて非表示（対応するＬＥＤの消灯）に切り替えることが好ましい。
【００８０】
例えば、「ＡＡＡＡＡ」が軌跡Ｋを１周１０秒で移動するものとし、軌跡Ｋに占める一部Ｋａ及び他部Ｋｂそれぞれの距離（長さ）の比率から一部Ｋａを４秒、他部Ｋｂを６秒で移動するものと算出されたときには、一の識別情報（「ＡＡＡＡＡ」）が軌跡Ｋの一部Ｋａを移動しているものと仮定される「４秒」の間で、複数個所に対応する一の識別情報の移動形態それぞれを表すコマ割り識別情報（１６２１，１６３１〜１６３３）の表示をそれぞれ切り替え、軌跡Ｋの他部Ｋｂを移動しているものと仮定される「６秒」の間は、複数個所に対応する一の識別情報の移動形態それぞれを表すコマ割り識別情報（１６２１，１６３１〜１６３３）をすべて非表示（対応するＬＥＤの消灯）とする。
これにより、一の識別情報があたかも仮想空間（他部Ｋｂ）においても移動しているような印象を与えることができ、演出の信憑性を高めることができる。
【００８１】
図２０は、導光板１６４の後方端面を照射するＬＥＤ１４３５と、導光板１６４の側方端面を照射するＬＥＤ１４４３とを、点灯したときの表示演出を示す例である。
このように、図形情報１６４１と図形情報１６４２（１６４２ａ，１６４２ｂ）は、それぞれ「装飾具」の一部分として構成されていることから、導光板１６４の後方端面と側方端面に同時に光を入射させると、「装飾具」が表示されることになる。
また、ＬＥＤ１４３５とＬＥＤ１４４３の点灯色を違えることにより、「中央部」と「端部」の色分けされた「装飾具」を表示することができる。
さらに、「中央部」において、図形情報１６４１は３本の縦線模様が表示され、図形情報１６４２（１６４２ｂ）は２本の縦線模様が表示され、一方の実表示部分が他方の非表示部分を相互に補完する位置に表示されているとともに、実表示部分と非表示部分は、ほぼ等間隔となる規則性をもって隣接配置されていることから、ＬＥＤ１４３５とＬＥＤ１４４３の点灯色を違えることにより、「中央部」が縞模様となる「装飾具」を表示することができる。
【００８２】
図２１は、印刷シート１５１を照射するＬＥＤ１５４１と、立体構造物１７１の後方端面を照射するＬＥＤ１４３２と、導光板１６２の後方端面を照射するＬＥＤ１４３３とを、点灯制御するときの表示演出を示す例である。
この例では、上記各ＬＥＤからの光の強度（光度）を調節することにより、窓部１２１から観測される映像の輝度を変化させた表示演出を示している。
例えば、図２１（ａ）は、透光領域１５１ａと、「ＡＡＡＡＡ」の文字情報１６２１と、「ＢＢＢＢＢＢ」の文字情報１７１２それぞれの像の輝度を同じにしたときの表示演出であり、図２１（ｂ）は、「ＡＡＡＡＡ」の文字情報１６２１の像の輝度を他の像より高めたときの表示演出であり、図２１（ｃ）は、「ＡＡＡＡＡ」の文字情報１６２１の像の輝度を他の像よりさらに高めたときの表示演出である。
このように各ＬＥＤからの光の強度（光度）を調節することにより、それぞれの像の輝度を変えることができ、表示演出ごとや場面に応じて強調したい像を変えることができる。
また、図２１（ａ）〜（ｂ）の表示演出をそれぞれ階調制御の一演出とし、これらを連続的に切り替えることにより、明るさのグラデーション演出を行うこともできる。
【００８３】
図２２は、図１９に示した表示演出の変形例である。
図１９に示した表示演出では、（ａ）〜（ｄ）の順に「ＡＡＡＡＡ」の文字情報が反時計回りに移動する演出としたが、図２２に示す表示演出は、（ａ）〜（ｄ）の順に「ＡＡＡＡＡ」が時計回りに移動する演出としている点において相違している。
このような演出の違いを設けることにより、例えば、ビッグボーナスに当選したときには反時計回りの演出、レギュラーボーナスに当選したときには時計回りの演出など、当選したボーナスの種類に応じて表示演出を分けることができる。なお、この場合、それぞれに当選後にさらにどちらの演出を行うかの抽選を行ってもよい。
また、スロットマシン遊技中以外に操作が有効となる所定の操作手段（例えば、停止ボタン５）を設け、この操作手段の操作によって好みの演出を遊技者に選択させることもできる。
【００８４】
図２３は、導光板１６２の後方端面を照射するＬＥＤ１４３３を点灯したときの表示演出を示す例である。
特に、通常時の演出に比べて、ＬＥＤ１４３３の光の強度（光度）を弱めることにより、「ＡＡＡＡＡ」の文字情報１６２１の像の輝度を低くしたときの表示演出である。
このような演出により、遊技者はボーナス当選したのかどうか違和感を覚えることになる。その後、例えば、徐々に像の輝度を高める演出を行うことにより、遊技者にボーナス当選を確信させることもできる。
【００８５】
図２４は、図１９に示した表示演出の変形例であり、印刷シート１５１を照射するＬＥＤ１５４１と、立体構造物１７１の後方端面を照射するＬＥＤ１４３２と、導光板１６２の後方端面を照射するＬＥＤ１４３３と、導光板１６３の後方端面を照射するＬＥＤ１４３４とを、点灯制御するときの表示演出を示す例である。
この例では、ＬＥＤ１５４１とＬＥＤ１４３２とを点灯したままの状態としながら、ＬＥＤ１４３３、及びＬＥＤ１４３４（１４３４ａ，１４３４ｂ）の点灯タイミングを順次切り替えることにより、一つの識別情報が所定の軌跡を移動する表示演出を行う例を示している。
【００８６】
副制御部２０が表示態様切替手段として動作し、ＬＥＤ１５４１とＬＥＤ１４３２とを点灯したままの状態としながら、ＬＥＤ１４３３、ＬＥＤ１４３４ａ、１４３４ｂの点灯タイミングを順次切り替えることにより、各コマ割り識別情報それぞれの表示態様を、表示又は非表示のいずれかに切り替える。
例えば、図２４（ａ）は、ＬＥＤ１４３４ａ，１４３４ｂを同時に点灯させ、ＬＥＤ１４３３を消灯させることにより、文字情報１６３１，１６３２を表示させた例を示している。
図２４（ｂ）は、ＬＥＤ１４３３のみを点灯させ、ＬＥＤ１４３４ａ，１４３４ｂを消灯させることにより、文字情報１６２１を表示させた例を示している。
これにより、「ＡＡＡＡＡ」の文字情報が、軌跡Ｋの一部Ｋａに沿って、左右から中央に集まったり、左右に分離したりする演出を行うことができる。
【００８７】
図２５は、導光板１６１の後方端面を照射するＬＥＤ１４３１と、導光板１６１の側方端面を照射するＬＥＤ１４４１と、導光板１６２の後方端面を照射するＬＥＤ１４３３と、立体構造物１７１の後方端面を照射するＬＥＤ１４３２とを、点灯制御するときの表示演出を示す例である。
この例では、ＬＥＤ１４３２、ＬＥＤ１４３３、及びＬＥＤ１４４１を点灯したままの状態としながら、ＬＥＤ１４３１の点灯（ｂ）と消灯（ａ）を時間的に切り替えることにより、図形情報１６１２と図形情報１６１１との組合せによって、円形が大きくなったり（ｂ）、小さくなったり（ａ）見える演出を行うことができる。
この場合、ＬＥＤ１４３１とＬＥＤ１４４１の点灯色は同じ色にすることが好ましい。
【００８８】
図２６は、導光板１６１〜１６４それぞれに大きさの異なる文字情報「ＡＡＡＡＡ」を設けた場合の変形実施例である。
この例では、印刷シート１５１を照射するＬＥＤ１５４１と、立体構造物１７１の後方端面を照射するＬＥＤ１４３２とを点灯したままの状態としながら、各導光板を照射するＬＥＤを順次切り替えたときの表示演出を示している。
この場合の文字情報「ＡＡＡＡＡ」の大きさは、導光板１６１＜１６２＜１６３＜１６４の関係を有していることが好ましい。
【００８９】
図２６（ａ）は、導光板１６１に対応するＬＥＤを点灯させ、他の導光板に対応するＬＥＤを消灯させた例、図２６（ｂ）は、導光板１６２に対応するＬＥＤを点灯させ、他の導光板に対応するＬＥＤを消灯させた例、図２６（ｃ）は、導光板１６３に対応するＬＥＤを点灯させ、他の導光板に対応するＬＥＤを消灯させた例、図２６（ｄ）は、導光板１６４に対応するＬＥＤを点灯させ、他の導光板に対応するＬＥＤを消灯させた例を示している。
そして、副制御部２０が図２６（ａ）〜（ｄ）の順、又は、図２６（ｄ）〜（ａ）の順に、各ＬＥＤの点灯を時間的に切り替えることにより、「ＡＡＡＡＡ」の文字情報が大きくなったり、小さくなったり見える演出を行うことができる。
特に、各導光板１６１〜１６４に設けられた各文字情報「ＡＡＡＡＡ」の大きさと、各導光板１６１〜１６４から窓部１２１までの距離との間には、文字情報「ＡＡＡＡＡ」の大きさが大きくなるにつれ、窓部１２１までの距離が短くなるという相関関係を有することから、立体的な視覚効果が助長されることになり、臨場感のある演出を行うことができる。
【００９０】
以上のように、本発明の一実施形態に係るスロットマシン１によれば、複数の導光板１６１〜１６４が重なって配置されるとともに、複数の導光板１６１〜１６４の間に立体構造物１７１が配置されることから、複数の導光板１６１〜１６４の積層関係から生じる遠近感に加え、立体構造物１７１が有する立体感により、窓部１２１内に広がる空間において各導光板１６１〜１６４により表示される識別情報の間に立体構造物１７１が浮かんでいるように見え、今までにないような立体的な視覚効果を生み出すことができる。
また、副制御部２０が印刷シート１５１、各導光板１６１〜１６４、立体構造物１７１への入射光を選択的に切り替えることができることから、多彩な演出を行うことができ、興趣を高めることができる。
また、重ねて配置された複数の導光板１６１〜１６４ごとに入射する光の強さを異ならせ、表示させる識別情報の種類（文字、図形）や遊技者の目から各導光板１６１〜１６４までの距離に応じて各導光板に表示される識別情報の輝度を変えることができるので、各識別情報の明暗を調整してそれぞれを見やすくしたり、表示演出ごとや場面に応じて強調したい識別情報を変えたりすることができる。
【００９１】
一方、従来の表示ユニットを有する遊技機（例えば、特許文献１）においては、ハーフミラーを用いて３つの画像情報にそれぞれ遠近感を持たせる表示演出を行うようにしているが、構造が複雑なうえ、演出のバリエーションに限界があり、多彩な演出を行うことができず、遊技者にすぐに飽きられてしまうという問題があった。
また、限られたスペース内にハーフミラーなどの光学部品を精度よく配置しなければならず、製造コストが高くつくなどの問題もあった。
本実施形態のスロットマシン１によれば、従来の遊技機が改善すべきこのような課題の全部又は一部などを解決することができる。
【００９２】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００９３】
例えば、立体構造物は、１つに限らず、２つ以上設けることもできる。この場合、立体構造物が配置される導光板は、本実施形態と同じ導光板の間でもよいが、異なる導光板の間でもよい。
また、立体構造物の入射面を後方端面としたが、これに加え又はこれに代えて側方端面などの他の入射面を設けることもできる。複数の入射面を設ける場合、図１４に示すように、光の伝播範囲を重複させないことにより、入射面によってそれぞれ異なる立体造形部だけが照射されるように構成することもできる。
また、識別情報とは、丸や四角、文字などの視覚的に意味があるものだけでなく、視覚的に意味がないものも広く識別情報の概念に含まれるものとする。
【符号の説明】
【００９４】
１  スロットマシン（遊技機）
１０  主制御部
２０  副制御部
１００  表示ユニット
１５１  印刷シート
１５１ａ  透光領域（第３識別情報）
１６１  導光板（第１導光板）
１６１１  図形情報（識別情報）
１６１２  図形情報（第１識別情報）
１６２  導光板（第２導光板又は第４導光板）
１６２１  文字情報（第２識別情報、コマ割り識別情報）
１６３  導光板（第３導光板又は第４導光板）
１６３１〜１６３３  文字情報（識別情報、コマ割り識別情報）
１６４  導光板（第３導光板）
１６４１  図形情報（第３識別情報の一部）
１６４２  図形情報（第３識別情報の他部）
１７１  立体構造物
１７１１  立体造形部（第３識別情報）
１７１２  導光部
１７１２ａ  第１導光部
１７１２ｃ  第２導光部
１７１２ｂ  屈折部
１４３  後方発光部
１４３０  基板
１４３１〜１４３５  ＬＥＤ（光源）
１４４  側方発光部
１４４０  基板
１４４１〜１４４３  ＬＥＤ（光源）
【図１】
2018050703.tif 000003
【図２】
2018050703.tif 000004
【図３】
2018050703.tif 000005
【図４】
2018050703.tif 000006
【図５】
2018050703.tif 000007
【図６】
2018050703.tif 000008
【図７】
2018050703.tif 000009
【図８】
2018050703.tif 000010
【図９】
2018050703.tif 000011
【図１０】
2018050703.tif 000012
【図１１】
2018050703.tif 000013
【図１２】
2018050703.tif 000014
【図１３】
2018050703.tif 000015
【図１４】
2018050703.tif 000016
【図１５】
2018050703.tif 000017
【図１６】
2018050703.tif 000018
【図１７】
2018050703.tif 000019
【図１８】
2018050703.tif 000020
【図１９】
2018050703.tif 000021
【図２０】
2018050703.tif 000022
【図２１】
2018050703.tif 000023
【図２２】
2018050703.tif 000024
【図２３】
2018050703.tif 000025
【図２４】
2018050703.tif 000026
【図２５】
2018050703.tif 000027
【図２６】
2018050703.tif 000028